(57)【要約】      （修正有）【課題】外から横引排水管を見えなくすることができ、かつ、雨樋集水ますを安定に固定することができる新しい雨樋集水ます取付構造を提供する。【解決手段】後壁部１１に横引排水管接続用の挿入口１２を有し、底壁部１３に縦樋接続用の排水口１４を有する筒体の雨樋集水ます１を、建築物の壁に直接固定されたますカバー２に係合あるいは嵌合支持してなる雨樋集水ます取付構造であって、ますカバー２は、建築物の壁に固定する設置面部２１と設置面部２１の側縁から前方へと延びる両側面部２２とからなり、前記設置面部２１には設置面部２１上端から設置面部２１下端に向けて開口した横引排水管用の開口２３を有し、ますカバー２の凹部２４に雨樋集水ます１の突起片１６が、および／または、ますカバー２の凸部２５に雨樋集水ます１の段差１７が、係合あるいは嵌合することによって、ますカバー２が雨樋集水ます１を支持する。【選択図】図１
2008133628.tif 000002
【特許請求の範囲】
【請求項１】
後壁部に横引排水管接続用の挿入口を有し、底壁部に縦樋接続用の排水口を有する筒体の雨樋集水ますを、建築物の壁に直接固定されたますカバーに係合あるいは嵌合支持してなる雨樋集水ます取付構造であって、
ますカバーは、建築物の壁に固定する設置面部と設置面部の側縁から前方へと延びる両側面部とからなり、前記設置面部には設置面部上端から設置面部下端に向けて開口した横引排水管用の開口を有し、前記側面部の内側に、凹部または凸部のいずれか一方または両方が設けられていて、
雨樋集水ますは、両側壁部に、突起片または内へ折曲する段差のいずれか一方または両方が設けられていて、
ますカバーの凹部に雨樋集水ますの突起片が、および／または、ますカバーの凸部に雨樋集水ますの段差が、係合あるいは嵌合することによって、ますカバーが雨樋集水ますを支持してなることを特徴とする雨樋集水ます取付構造。
【請求項２】
ますカバーの凹部または凸部、および、雨樋集水ますの突起片または段差が、前後方向略全長にわたって形成されていることを特徴とする請求項１に記載の雨樋集水ます取付構造。
【請求項３】
請求項１または２に記載の雨樋集水ます取付構造の形成方法であって、ますカバーを建築物の壁に固定した後に、ますカバーの前方あるいは下方から雨樋集水ますを嵌挿することを特徴とする雨樋集水ます取付構造の形成方法。
【請求項４】
請求項１または２に記載の雨樋集水ます取付構造の形成方法であって、雨樋集水ますの上方からますカバーを被挿した後に、ますカバーと建築物の壁とを固定することを特徴とする雨樋集水ます取付構造の形成方法。
【発明の詳細な説明】
【技術分野】
【０００１】
本発明は、雨樋集水ますを建築物に設置する際の雨樋集水ます取付構造およびその形成方法に関するものである。
【背景技術】
【０００２】
雨水等の排水をベランダや屋上等から屋外へと導く際には、まずベランダや屋上等に設けられた排水溝から建築物を貫通する横引排水管に送られ、次いで、雨樋集水ますを介して縦樋へと送られて排出される。このような雨樋集水ますの取付構造としては、図５記載のように、建築物３の壁から突出している横引排水管４を雨樋集水ます７の挿入口７１に接続し、縦樋５を雨樋集水ます７の排出口７２に接続し、雨樋集水ます７直下の縦樋５を、控金具６によって固定するのが一般的である。ただし、図５記載のような取付構造では、外から横引排水管４が見えてしまい外観上好ましくないため、例えば、特許文献１に記載されるように横引排水管４を隠すための化粧ますを、雨樋集水ます７前方から雨樋集水ます７を覆うように取付ける工夫がなされている。
【０００３】
しかしながら、図５および特許文献１記載のような取付構造では、雨樋集水ます７自体は直接建築物３の壁と固定されていないため、風等による揺れで縦樋５を固定している控金具６が外れたり、さらには縦樋５が雨樋集水ます７から外れてしまうという問題点を有していた。特に、雨樋集水ます７の直下においてすぐにエルボ等で排水経路を横に振らなければならない場合には、縦樋５のように控金具６で固定することもできないため、さらに上記問題点は顕著なものとなってしまう。
【特許文献１】特開２００６−１９３９８９号公報
【発明の開示】
【発明が解決しようとする課題】
【０００４】
本発明は、以上の通りの事情に鑑みてなされたものであり、外から横引排水管を見えなくすることができ、かつ、雨樋集水ますを安定に固定することができる新しい雨樋集水ます取付構造およびその形成方法を提供することを課題としている。
【課題を解決するための手段】
【０００５】
本発明は、上記の課題を解決するために、第１には、後壁部に横引排水管接続用の挿入口を有し、底壁部に縦樋接続用の排水口を有する筒体の雨樋集水ますを、建築物の壁に直接固定されたますカバーに係合あるいは嵌合支持してなる雨樋集水ます取付構造であって、ますカバーは、建築物の壁に固定する設置面部と設置面部の側縁から前方へと延びる両側面部とからなり、前記設置面部には設置面部上端から設置面部下端に向けて開口した横引排水管用の開口を有し、前記側面部の内側に、凹部または凸部のいずれか一方または両方が設けられていて、雨樋集水ますは、両側壁部に、突起片または内へ折曲する段差のいずれか一方または両方が設けられていて、ますカバーの凹部に雨樋集水ますの突起片が、および／または、ますカバーの凸部に雨樋集水ますの段差が、係合あるいは嵌合することによって、ますカバーが雨樋集水ますを支持してなることを特徴とする。
【０００６】
第２には、ますカバーの凹部または凸部、および、雨樋集水ますの突起片または段差が、前後方向略全長にわたって形成されていることを特徴とする。
【０００７】
第３には、第１または第２の雨樋集水ます取付構造の形成方法であって、ますカバーを建築物の壁に固定した後に、ますカバーの前方あるいは下方から雨樋集水ますを嵌挿することを特徴とする。
【０００８】
第４には、第１または第２の雨樋集水ます取付構造の形成方法であって、雨樋集水ますの上方からますカバーを被挿した後に、ますカバーと建築物の壁とを固定することを特徴とする。
【発明の効果】
【０００９】
上記第１の発明によれば、ますカバーによって、横引排水管を隠すことができ、かつ、雨樋集水ますを安定に固定することができる。また、ますカバーは前面部がなく開放されており、雨樋集水ますと建築物の壁との前後方向の距離によらず横引排水管を隠すことができる。さらに、ますカバーは前面部、底面部がなく開放されているので、ますカバーの前方あるいは下方から雨樋集水ますを嵌挿させてもよいし、雨樋集水ますの上方からますカバーを被挿させてもよい。さらに、第２の発明によれば、ますカバーの凹部または凸部、および、雨樋集水ますの突起片または段差が、前後方向略全長にわたって形成されているので、雨樋集水ますはますカバーに対して前後方向にスライドすることができ、建築物の壁、横引排水管、縦樋等の位置を考慮して出調節が可能となる。
【００１０】
このことによって、第３、第４の発明のように雨樋集水ますとますカバーの取付順序に制限はなく、施工現場に応じて自由に選択できるのである。
【発明を実施するための最良の形態】
【００１１】
以下、本発明の雨樋集水ます取付構造について詳しく説明する。
【００１２】
図１は、本発明の雨樋集水ます取付構造に使用される雨樋集水ますおよびますカバーの一実施形態の斜視図である。
【００１３】
なお、本発明の前後方向の定義としては、雨樋集水ますから見て建築物側を後、その逆を前とし、その他はこの定義に従って相対的に前方向か後方向かで判断し、記載している。
【００１４】
本発明の雨樋集水ます取付構造は、図１のような雨樋集水ます１およびますカバー２によって構成される。
【００１５】
本発明の雨樋集水ます取付構造に用いる雨樋集水ますとしては、例えば、図１のように、後壁部１１に横引排水管接続用の挿入口１２を有し、底壁部１３に縦樋接続用の排水口１４を有する一般的な筒体の雨樋集水ますについて、特徴として、側壁部１５上縁に突起片１６が設けられ、側壁部１５下方には、内へ折曲した段差１７が設けられた雨樋集水ますとすることができる。
【００１６】
また、図１のように、雨樋集水ます１の上壁部１８に空気穴兼水抜き穴１９を穿設して、排水をスムーズに行い、さらに上壁部１８に水を溜めないようにしてもよい。
【００１７】
次に、本発明の雨樋集水ます取付構造に用いるますカバーとしては、例えば、図１のように、建築物の壁に固定するための設置面部２１と、設置面部２１の側縁から前方へと延びる両側面部２２とからなり、設置面部２１には設置面部２１上端から設置面部２１下端に向けて開口した横引排水管用の開口２３を有し、側面部２２の内側上縁に凹部２４、側面部２２の内側下縁に凸部２５が設けられたますカバー２とすることができる。そして、少なくとも前面部および底面部は有していない。また、上面部の有無は制限されないが、図１のように雨樋集水ます１の上壁部１８に空気穴兼水抜き穴１９を穿設している場合は、その効果を減じないためにも空気穴兼水抜き穴１９を塞がない程度に上面部を開口させてあることが好ましい。
【００１８】
また、設置面部２１には、釘等の固定具によって建築物の壁と固定するための設置穴２６が設けられているが、例えば雨樋集水ます１のすぐ上方に建築物の壁があれば、その壁にも固定具を打ち込んでさらに固定の安定性を持たせることができるので、ますカバー２の側面部２２と設置面部２１とで形成されるコーナー上部にも設置穴２６を形成できるように、上方設置面部２７を設けてもよい。
【００１９】
また、図１では、凹部２４の形状としては、断面視コ字状、凸部２５の形状としては、断面視直角三角形としているが、雨樋集水ます１を嵌合支持できる程度であれば、凹部２４および凸部２５の形状、大きさ等は制限されず、同様に、突起片１６および段差１７のの形状、大きさ等も制限されない。
【００２０】
このような雨樋集水ます１とますカバー２との結合に際しては、ますカバー２は前面部がなく、開放されているので、例えば図１矢印Ａのように、ますカバー２に対して、雨樋集水ます１を嵌挿させることができる。より具体的には、ますカバー２の凹部２４に対して、前方から雨樋集水ます１の突起片１６を、また、ますカバー２の凸部２５に対して、前方から雨樋集水ます１の段差１７を嵌挿させることができる。
【００２１】
そして、雨樋集水ます１をますカバー２に嵌挿させると、前方視で図２のような雨樋集水ます取付構造となる。
【００２２】
図２は、本発明の雨樋集水ます取付構造の一実施形態の前方図である。
【００２３】
図３は、本発明の雨樋集水ます取付構造の一実施形態および建築物、横引排水管、縦樋の側面部図である。
【００２４】
本発明の雨樋集水ます取付構造としては、例えば、図１のような雨樋集水ます１およびますカバー２を使用して、図２のような雨樋集水ます取付構造とすることができる。図２のように、ますカバー２の凹部２４に対して、雨樋集水ます１の突起片１６が嵌合し、ますカバー２の凸部２５に対して、雨樋集水ます１の段差１７が嵌合されている。また、図３のように、雨樋集水ます１は、控金具６によって固定された縦樋５に支持されるだけでなく、建築物３の壁に固定されたますカバー２によって嵌合支持され、二点支持されているので、図６に示される従来の取付構造よりも安定に固定されている。そして、ますカバー２の設置面部２１が建築物３の壁に固定され、ますカバー２の側面部２２が雨樋集水ます１に接続されている横引排水管４を隠しており、外部からは見ることができないので、外観を損なうことはない。
【００２５】
ここで、図２では、雨樋集水ます１の側壁部１５とますカバー２の側面部２２とが面で接し、雨樋集水ます１はますカバー２に嵌合されている雨樋集水ます取付構造であるが、側壁部１５と側面部２２とが面で接する必要はなく、ますカバー２の凹部２４に対して、雨樋集水ます１の突起片１６が係合し、ますカバー２の凸部２５に対して、雨樋集水ます１の段差１７を係合されていてもよい。
【００２６】
また、ますカバー２の凹部２４に対して、雨樋集水ます１の突起片１６が係合あるいは嵌合されているか、または、ますカバー２の凸部２５に対して、雨樋集水ます１の段差１７を係合あるいは嵌合されていればよく、雨樋集水ます１とますカバー２に、どちらか一方の係合あるいは嵌合の組み合わせが設けられていれば、雨樋集水ます１の固定の強度を増すことができる。
【００２７】
さらに、ますカバー２の凹部２４、凸部２５、および、雨樋集水ます１の突起片１６、段差１７が、前後方向略全長にわたって形成されていれば、雨樋集水ます１はますカバー２に対して前後方向にスライドすることができるようになり、これは、施工の際には非常に効果的である。その理由としては、建築物３の壁、横引排水管４、縦樋５等の位置は予定されていた位置とは異なる位置に設けられている場合があり、特に控金具６の出寸法によって縦樋５の位置が変化することは多々ある。このような場合、前後方向にスライド可能であるということは、建築物３の壁、横引排水管４、縦樋５等の位置に対して雨樋集水ます１を出調節して現場で容易に対応できるようになるのである。
【００２８】
図４は、本発明の雨樋集水ます取付構造の形成方法を示した前方図（ａ）および要部拡大図（ｂ）である。
【００２９】
本発明の雨樋集水ます取付構造の形成方法は、図１矢印Ａで示されるように、ますカバー２の前方から雨樋集水ます１を嵌挿してもよいが、図４（ａ）矢印Ｂのように、雨樋集水ます１の上方からますカバー２を被挿することもできる。このため、例えば、仮の排水経路を確保したい場合は、一旦ますカバー２を取付けずに雨樋集水ます１のみを取付けておいて、後になってからますカバー２を取付けて建築物の壁に固定することも可能となる。この際、矢印Ｃのようにますカバー２を左右に押し広げて被挿することができる。
【００３０】
ここで、雨樋集水ます１の突起片１６とますカバー２の凸部２５の形状を、例えば、図４（ｂ）のように、前方視で略直角三角形の斜辺を向かい合わせた形状とすることによって矢印Ｄの方向へと滑らかに送ることができ、取付を容易にすることができる。
【００３１】
また、図４（ａ）矢印Ｂとは逆に、ますカバー２を建築物の壁に固定した後に、前方（図１矢印Ａ）あるいは、ますカバー２に対して、ますカバー２の下方から雨樋集水ます１を嵌挿させることも可能であることは言うまでもない。
【００３２】
以上のように、本発明の雨樋集水ます取付構造は、ますカバーによって、横引排水管を隠すことができ、かつ、雨樋集水ますを安定に固定することができるだけでなく、ますカバーは前面部がなく開放されており、雨樋集水ますと建築物の外壁との前後方向の距離によらず横引排水管を隠すこともできる。さらに、雨樋集水ます取付構造の形成方法についても、ますカバーは前面部、底面部がなく開放されているので、ますカバーの前方あるいは下方から雨樋集水ますを嵌挿させてもよいし、雨樋集水ますの上方からますカバーを被挿させてもよく、施工現場に応じて自由に選択できるのである。
【図面の簡単な説明】
【００３３】
【図１】本発明の雨樋集水ます取付構造に使用される雨樋集水ますおよびますカバーの一実施形態の斜視図である。
【図２】本発明の雨樋集水ます取付構造の一実施形態の前方図である。
【図３】本発明の雨樋集水ます取付構造の一実施形態および建築物、横引排水管、縦樋の側面部図である。
【図４】本発明の雨樋集水ます取付構造の形成方法を示した前方図（ａ）および要部拡大図（ｂ）である。
【図５】従来の雨樋集水ます取付構造の側面部図である。
【符号の説明】
【００３４】
１  雨樋集水ます
１１  後壁部
１２  横引排水管接続用の挿入口
１３  底壁部
１４  縦樋接続用の排水口
１５  側壁部
１６  突起片
１７  段差
１８  上壁部
１９  空気穴兼水抜き穴
２  ますカバー
２１  設置面部
２２  側面部
２３  横引排水管用の開口
２４  凹部
２５  凸部
２６  設置穴
２７  上方設置面部
３  建築物
４  横引排水管
５  縦樋
６  控金具
７  従来の雨樋集水ます
【図１】
2008133628.tif 000003
【図２】
2008133628.tif 000004
【図３】
2008133628.tif 000005
【図４】
2008133628.tif 000006
【図５】
2008133628.tif 000007